(57)【特許請求の範囲】
【請求項１】
天板に支持されたファンモータと、ファンモータの回転軸に取付られ、筺体の下面中央部に設けられた空気吸込み口から空気を吸い込み、正面、右側面及び左側面に設けられた空気吹出し口に吹出す遠心ファンと、この遠心ファンの外周にコの字状に配置された熱交換器とを室内機内に収納し、前記室内機を据付け部材を介して壁に据付けた空気調和機において、前記据付部材は、室内の壁に固定された固定板と、この固定板に接続され天井板面方向に延長したレールと、このレールと一体に設けられ前記室内方向に突出したフランジと、前記レールの下面に設けられた複数の爪とを有し、前記爪と係合する係合片を室内機の上面に、前記フランジが挿入される溝を前記固定板と対向する室内機の据付面に設けた空気調和機。
【発明の詳細な説明】
【０００１】
【発明の属する技術分野】
本発明は、空気調和機器に関するものである。
【０００２】
【従来の技術】
空気調和機は、主に居間に据付ける家庭が多いが、近年、寝室や子供部屋への増設需要が増し、今後、更に増設需要は推移することが予想される。
【０００３】
寝室や子供部屋の広さは、平均すると６畳が最も多いという調査結果がある。６畳の部屋では、家具や窓が設けられることによって、据付けスペースが極端に狭くなってしまい、カーテンボックスや家具の上等しか据付けスペースが取れない場合がる。
【０００４】
壁以外の据付けが可能な空気調和機として、天吊形空気調和機や天井埋込形空気調和機がる。天吊形空気調和機は、天井裏の梁等に固定された金具が天井板を貫通して室内まで垂下され、この金具に室内機を吊下げるものである。天井埋込形空気調和機は、天井に室内ユニットが挿入出来る大きさの穴を開け、この穴に室内ユニットを埋め込み、天井裏の梁等を利用して固定するものである。
【０００５】
一般的な天吊形空気調和機として、例えば特開昭６１−９６３３９号公報があげられる。
【０００６】
【発明が解決しようとする課題】
上記壁掛形空気調和機は、据付けが比較的簡単であることから、家庭用空気調和機の主流になっているが、小部屋にこの壁掛形空気調和機を据付けた場合は、快適性については、必ずしも満足できるもとは言えない。
【０００７】
例えば、壁掛形空気調和機は、室内空気を前面から吸込み、下方の吹出し口から空調空気を室内に吹出す構造となっている。この構造であると、吹出し口が一ヶ所であるため、特に小部屋であると気流感が強くなり、不快感を感じる人もいる。また、室内ユニットが壁から室内方向に張出すため、室内ユニットの厚みが居住者への圧迫感となってしまい不快感を感じる人もいる。
【０００８】
これに対して、天吊形や埋込形空気調和機は、吹出し口が３方向、或いは４方向であるため、気流が柔らかくなり気流に対する不快感は和らぐ。また、いずれも天井面に室内ユニットがあるため、圧迫感も和らぐ。
【０００９】
しかしながら、これら天吊形、埋込形空気調和機は、何れも据付け工事が極めて困難であるという問題があり、一般家庭向きではない。特に、部屋が和室の場合は、吊り天井が多く、強度的に不向きである。
【００１０】
本発明の目的は、据付けスペースの少ない小部屋への据え付けが容易な空気調和機を提供することにある。
【００１１】
【課題を解決するための手段】
上記目的は、天板に支持されたファンモータと、ファンモータの回転軸に取付られ、筺体の下面中央部に設けられた空気吸込み口から空気を吸い込み、正面、右側面及び左側面に設けられた空気吹出し口に吹出す遠心ファンと、この遠心ファンの外周にコの字状に配置された熱交換器とを室内機内に収納し、前記室内機を据付け部材を介して壁に据付けた空気調和機において、前記据付部材は、室内の壁に固定された固定板と、この固定板に接続され天井板面方向に延長したレールと、このレールと一体に設けられ前記室内方向に突出したフランジと、前記レールの下面に設けられた複数の爪とを有し、前記爪と係合する係合片を室内機の上面に、前記フランジが挿入される溝を前記固定板と対向する室内機の据付面に設けることにより達成される。
【００１６】
【発明の実施の形態】
本発明の空気調和機を図１乃至図５に示した実施例を用いて説明する。図１は、空気調和機が据付けられた状態を示す外観斜視図。図２は、据付け金具の斜視図。図３は、据付け金具に空気調和機が固定された状態を示す側面図。図４は、室内機の据付状態を説明する図３のＢ−Ｂ断面図。図５は、据付け金具の爪と空気調和機の係止部と係合状態を示す部分拡大図である。
【００１７】
図１において、室内機本体１は、家屋の壁７に図示しない室内機本体１の背面に設けられた取付部６となる据付金具によって取付けられている。据付金具は、壁７に取付けられる部分が室内機本体１の幅よりもやや狭い幅広となっており、壁１０が取付けられている柱部材などの骨材等の構造部材（木造家屋の場合）に木ねじ等によって固定される。幅広部上部からは奥行き方向の断面が逆Ｌ字状となるように天井と平行に互いに室内機本体１の幅方向に平行な２本のレールが延びている。これらレールに室内機本体１の上部に設けられている本体側取付け部が係合して室内機本体１が支持される。また、天井７ａと室内機本体１との間には、これら取付け部材が見えないように目隠しされている。
【００１８】
室内機本体１の正面には、インジケータ１５が設けられており、空気調和機の冷房、暖房、除湿若しくは送風の各運転モードに対応した表示が発光ダイオードの発光色によってなされる。
【００１９】
室内機本体１の筐体２の下部には吸込みグリル５が設けられ、この吸込みグリル５から吸込まれた室内の空気は、筐体２内に取り込まれ、室内機本体１の正面であってインジケータ１５の上部に設けられた空気吹出し口、正面に向かって左右の側面に夫々設けられた空気吹出し口４から吹出される。なお、吹出し口４には、吹出し方向を左右方向に変えるルーバ（図示せず）及び上下方向に変えるルーバ５が設けられており、この上下方向に変えるルーバ５閉じられることにより運転をしていないときのごみの侵入を防止する。
【００２０】
現在市販されている空気調和機には、壁掛け型、天吊り型及び天井埋め込み型の種類があるが、天井埋め込み型は、天井に大きな穴を開ける必要があり工事が大掛りとなり、天吊り型は空気調和機の重量を天井が支える構造であることから天井の補強が必要となる。
【００２１】
一方、壁掛け型は、取付工事が比較的簡単であるものの、空気を本体正面から吸込んで、正面下部から吹出す構造であるため、吹出し口が正面１箇所となり吹出された空気は風速が速く、この強い風が身体に当たらぬようにしたいという要望がある。また、吹出し口が１箇所であるため、居室の構造によっては必ずしも温度の均一化が図られていない。
【００２２】
また、最近の家屋は、窓を大きく取るため天井面と窓上部との寸法が小さく、ここにカーテンレールや鴨居がある場合、壁掛け型の空気調和機は、例えば、特開平９−４２７０６号公報に示されているように、筐体内部に正面高さ方向に設けられた熱交換器とその上部に逆Ｖ字形熱交換器を配して高さ寸法を抑えているものの、取付が厳しい場合がある。
【００２３】
室内機１の下面中央部には、室内空気の吸込グリル３が設けられている。この吸込グリル３は、複数本の格子からなり、図示していないが前記筐体の一部に軸支され、開閉できるようになっている。この吸込グリル３の内面には、フィルタが取付けられ、吸込グリル３を開いてフィルタを着脱できるようになっている。
【００２４】
ところで、この室内機１は、空気吹出口４が３方向に設けられているため、３方向の空気吹出口４有効に使うためには、吹出口４遮蔽しないように部屋の中央に据付けるの理想であるが、部屋の据付け条件によっては、部屋の角に据付けなけてはならない。その場合、左右いずれか一方の吹出口４が壁７に面するので、風向板５を動作させるモータの通電を停止させ、吹出口４を発砲スチロール等の断熱材で閉塞しておく必要がある。これは、特に冷房運転時に冷気が壁に直接あたることによって壁が冷やされ、壁に露が発生してしまうことを防止するためである。
【００２５】
次に、据付け金具を説明する。図２において、８は、据付け金具である。９は、この据付け金具８を壁７へ固定するための固定板である。この固定板９には、複数のネジ穴９ａが設けられ、このネジ穴９ａを介してネジで固定板９を壁７に固定する。９ｂは、室内ユニット１と固定板９とを固定するためのネジ穴である。
【００２６】
１０は、室内ユニット１を吊下げるためのレールであり、本実施の形態では、レール１０を２本設けたが、強度が確保されれば１本でも良い。また、本実施の形態では、レール１０の強度を増すために、フランジ１０ｅを有する金属板をＬ字状に折り曲げて形成している。このフランジ１０ｅは、垂直部１０ａから水平部１０ｂにかけて連続して設けられ、室内ユニット１側に向いている。
【００２７】
このレール１０は、垂直部１０ａと水平部１０ｂとからなり、垂直部１０ａが前記固定板９に溶接、又はボルトで固定される。前記固定板９が壁７に固定された状態では、水平部１０ｂは、天井板１１ａとほぼ平行になる。ただし、ドレン水を屋外に排出さるための勾配を室内ユニットに持たせるためには、必ずしも平行でなくても良く、傾斜を付けても良い。１０ｃは、レール１０の下面側に取付けられた爪であり、本実施の形態では、各レール１０に少なくとも２個づつ取付けられている。１０ｄは、レール１０に設けられたネジ穴である。１１は、両レール１０の補強と、両レール１０が外側に広がるのを防止するための補強板であり、両レール１０を橋渡しするようにそれぞれのレール１０に溶接されている。１１ａは、この補強板１１に設けられたネジ穴である。１２は、天井板７ａと壁面７との境目に有する回り縁７ｂを逃げるため、垂直部１０ａと水平部１０ｂが交差する部分に設けられた逃げ部である。この逃げ部１２は、レール１０を折り曲げて形成されている。１２ａは、この逃げ部１２に設けられたネジ穴であり、このネジ穴１２ａを介して回り縁１１ｂにネジ止めをすることにより据付金具８は、より強固に壁７に固定出来る。
【００２８】
図３において、１ａは、室内ユニット１の上面に設けられた係合片であり、上記爪１０ｃと係合する。この係合片１ａを爪１０ｃに挿入するには、室内ユニット１を持ち上げた状態で、矢印Ａ方向に押し込むことにより、係合片が爪１０ｃに挿入され、係合状態になる。
【００２９】
前述したように、固定板９には、室内ユニット１を固定板９に固定するためのネジ穴９ｂが設けらており、このネジ穴９ｂを介して固定板９と室内ユニットがネジ止めされ、室内ユニット１の前後方向へのずれを防止している。
【００３０】
ところで、レール１０に逃げ部１２を設けたことによって据付け金具８は、回り縁１１ｂを避けて壁７に固定することができる。従って、レール１０は、天井板７ａに接近するので、その分、この据付け金具によって据付けられた室内ユニット１は、天井板７ａとの隙間が小さくなり、据付けられた状態の外観が向上する。
【００３１】
図４に示した図３のＢ−Ｂ断面図において、室内ユニット１の据付面６には、４本の溝１ｂが設けられ、この溝１ｂ内にレール１０を構成する垂直部１０ａのフランジ部１０ｅが挿入されるので、室内ユニット１は、フランジ１０ｅによって左右方向の動きが拘束され、ずれを防止することが出来る。
【００３２】
図５は、図３のＣ部分を拡大したものであり、係合片１ａが爪１０ｃに挿入された状態を示す。爪１０ｃの先端には傾斜部１０ｆが設けられ、係合片の挿入間口を大きくしている。間口を大きくすることによって係合片１ａの挿入範囲が大きく取れ、据付作業が容易になる。この爪１０ｃは、腕部１０を切り起こして形成しても良く、別体の爪を溶接またはボルトで固定して構わない。
【００３３】
本発明の空気調和機に使用される据付金具は、壁への据付けを前提として設計されているが、住宅によっては壁の強度が弱い場合もあり、壁のみの固定では据付強度が不十分と判断された場合には、腕部１０に設けたネジ穴１０ｄや補強板１１に設けたネジ穴１１ａを介して腕部１０を天井板７ａに固定して壁７への負担を軽減することができる。
【００３４】
本発明によれば、壁掛形空気調和機並みに簡単な据付けが可能となり、しかも吹出し口を３ヶ所とし、風向、風量を３分割としたことによって、気流が柔らかく、室内空間を包み込むように部屋を空調するので、気流感による不快感を解消出来る。
【００３５】
また、室内ユニットの最大高さ方向寸法を２０mm以内に押さえたので、カーテンボックスの上にも十分に据付けることが可能である。
【００３６】
しかも、据付け金具の腕部には、回り縁の逃げ部を設けているので、回り縁の有無に関わらず、室内ユニットと天井板との間の隙間を小さくして据付けることができ、据付けの仕上がり外観が向上する。
【００３７】
【発明の効果】
本発明によれば、据付けスペースの少ない小部屋への据え付けが容易な空気調和機を提供できる。
【図面の簡単な説明】
【図１】本発明を備えた空気調和機器の斜視図。
【図２】本発明の空気調和機に使用される据付け金具の斜視図。
【図３】本発明を備えた空気調和機を据付けた状態を示す側面断面図。
【図４】本発明を備えた空気調和機を据付けた状態を示す図３のＢ−Ｂ断面図。
【図５】図３のＣ部の拡大側面図。
【符号の説明】
１…室内機、２…筐体、３…吸込口、４…吹出口、５…風向板、６…据付け面、７…壁、８…据付金具、９…固定板、１０…レール、１１…補強板、１２…逃げ部。
【図１】
0003684969.tif 000002
【図２】
0003684969.tif 000003
【図３】
0003684969.tif 000004
【図４】
0003684969.tif 000005
【図５】
0003684969.tif 000006